(57)【要約】【課題】  有効期限が切れたCM情報と差し替える新たなCM情報を配信するサーバやネットワークを用いることなく、テレビ放送局から送信されるテレビ放送番組情報を受信し、受信したテレビ放送番組情報から有効期限が切れたCM情報と差し替える差し替えCM情報を効率よく検出することができる記録再生装置を提供する。【解決手段】  制御部は、有効期限が切れたCMが含まれるテレビ放送番組情報について、記憶部に記憶された放送番組特定情報を参照し、このテレビ放送番組情報が記録された曜日、記録時間帯及びテレビ放送局と同一の曜日、時間帯に同一のテレビ放送局から送信されるテレビ放送番組情報を受信部に受信させる制御をし、有効期限が切れたCMと差し替える差し替えCMを検出する。【選択図】  図２
2005293682.tif 000002
【特許請求の範囲】
【請求項１】
受信した放送番組情報を記録再生する記録再生装置において、
コマーシャル情報を含む放送番組情報及び前記コマーシャル情報を管理する管理情報を受信する受信部と、
前記受信部が受信した放送番組情報を記録する放送番組記録部と、
前記放送番組記録部に記録された放送番組情報の曜日情報、記録開始時間情報及び放送局情報からなる放送番組特定情報を記憶する記憶部と、
前記受信部が受信した放送番組情報に含まれるコマーシャル情報を記録するCM記録部と、
前記受信部が受信した管理情報を記録する管理情報記録部と、
前記管理情報記録部に記録された管理情報に基づいて放送番組記録部に記録された放送番組情報の中に差し替えるコマーシャル情報があるか否かを判別する判別部と、
前記判別部が前記放送番組記録部に記録された放送番組情報の中に差し替えるコマーシャル情報があることを判別すると、前記記憶部に記憶された放送番組特定情報に基づいて差し替えるコマーシャル情報がある放送番組情報の放送と同一の曜日、記録開始時間に同一の放送局から送信される放送番組情報を受信するように前記受信部を制御し、更に、前記判別部が判別したコマーシャル情報と差し替える差し替えコマーシャル情報を検出し、当該検出した差し替えコマーシャル情報を記録するように前記CM記録部を制御する制御部とを備えることを特徴とする記録再生装置。
【請求項２】
請求項１記載の記録再生再生装置において、
前記管理情報は、コマーシャル情報の提供先を示す提供先情報、当該提供先によるコマーシャル情報の識別情報及びコマーシャル情報を提供する有効期限情報を有し、前記判別部は、有効期限情報に基づいて差し替えるコマーシャル情報があるか否かを判別し、
前記制御部は、前記判別部が判別したコマーシャル情報の提供先情報及び識別情報が同一の差し替えコマーシャル情報又は提供先情報が同一の差し替えコマーシャル情報を前記CM記録部に記録する制御をすることを特徴とする記録再生装置。
【発明の詳細な説明】
【技術分野】
【０００１】
受信した放送番組情報を記録媒体に記録し、記録媒体に記録された放送番組情報を再生する記録再生装置に関する。
【背景技術】
【０００２】
テレビ放送局から送信されたテレビ放送番組情報を受信し、受信したテレビ放送番組情報を記録し再生することができる記録再生装置がある。この記録再生装置は、受信したテレビ放送番組をHDD（Hard Disk Drive）、DVD-RAM（Digital Versatile Disc-Random Access Memory）などの記録媒体に記録し、記録媒体に記録されたテレビ放送番組情報を再生する。
【０００３】
民間のテレビ放送局から送信されたテレビ放送番組情報には、１のテレビ番組の間や次のテレビ番組との間にCM（Commercial Message）情報が含まれている。そのため、この記録再生装置のユーザが記録媒体に記録された民間のテレビ放送番組情報を再生して視聴する場合、ユーザは、CM情報を含むテレビ番組情報を視聴することができる。ユーザがテレビ放送番組情報を記録してからある期間経過した後に当該テレビ放送番組情報を再生して視聴すると、再生されるCM情報には、内容が古いCM（例えば、CMの提供先の商品に関する情報）がある。ユーザにとって、内容が古いCM情報は、有益な情報とは言い難い。また、この場合、CMの提供先にとっては、内容が古いCM情報が視聴されるので、CM情報による商品の宣伝効果を得ることができない。
【０００４】
このような問題を解決するために、特許文献１に開示された情報提供システムがある。特許文献１に開示された情報提供システムにおいて、テレビ放送局は、CM情報の有効期限などの属性データと共にテレビ放送番組情報を送信し、記録再生装置は、テレビ放送局から送信されたテレビ放送番組情報を受信し、記録媒体に記録したテレビ放送番組情報に含まれるＣＭ情報の有効期限が切れたか否かを属性データに基づいて判断する。この記録再生装置は、有効期限が切れたＣＭ情報があると、ネットワークを介して接続されたサーバから有効期限が切れたCM情報と差し替える新たなCM情報をダウンロードする。記録再生装置は、記録媒体に記録したテレビ放送番組情報を再生するとき、有効期限の切れたCM情報をダウンロードした新たなCM情報に差し替えて再生する。
【０００５】
【特許文献１】特開2001-292115号公報  （第１図）
【発明の開示】
【発明が解決しようとする課題】
【０００６】
特許文献１に開示された情報提供システムにおいて、記録再生装置は、ネットワークを介して接続されたサーバから有効期限が切れたCM情報と差し替える新たなCM情報をダウンロードする。このため、特許文献１に開示された情報提供システムでは、有効期限が切れたCM情報と差し替える新たなCM情報を配信するサーバをネットワーク上に用意する必要がある。また、情報提供システムの記録再生装置のユーザは、ネットワークが使用できる環境でなければ、この情報提供システムを利用することができない。一方、ユーザは、ネットワークが使用できる環境であっても、有効期限が切れたCM情報と差し替える新たなCM情報をサーバからダウンロードするために、ネットワークの通信帯域を確保する必要があり、また、ダウンロードした新たなCM情報の容量に応じた通信費用をネットワーク管理会社に支払う必要がある。
【０００７】
本発明は、上述の課題を解決するためになされたものであり、有効期限が切れたCM情報と差し替える新たなCM情報を配信するサーバやネットワークを用いることなく、テレビ放送局から送信されるテレビ放送番組情報を受信し、受信したテレビ放送番組情報から有効期限が切れたCM情報と差し替える差し替えCM情報を効率よく検出することができる記録再生装置を提供することを目的とする。
【課題を解決するための手段】
【０００８】
本願の請求項１に記載の発明は、受信した放送番組情報を記録再生する記録再生装置において、コマーシャル情報を含む放送番組情報及び前記コマーシャル情報を管理する管理情報を受信する受信部と、前記受信部が受信した放送番組情報を記録する放送番組記録部と、前記放送番組記録部に記録された放送番組情報の曜日情報、記録開始時間情報及び放送局情報からなる放送番組特定情報を記憶する記憶部と、前記受信部が受信した放送番組情報に含まれるコマーシャル情報を記録するCM記録部と、前記受信部が受信した管理情報を記録する管理情報記録部と、前記管理情報記録部に記録された管理情報に基づいて放送番組記録部に記録された放送番組情報の中に差し替えるコマーシャル情報があるか否かを判別する判別部と、前記判別部が前記放送番組記録部に記録された放送番組情報の中に差し替えるコマーシャル情報があることを判別すると、前記記憶部に記憶された放送番組特定情報に基づいて差し替えるコマーシャル情報がある放送番組情報の放送と同一の曜日、記録開始時間に同一の放送局から送信される放送番組情報を受信するように前記受信部を制御し、更に、前記判別部が判別したコマーシャル情報と差し替える差し替えコマーシャル情報を検出し、当該検出した差し替えコマーシャル情報を記録するように前記CM記録部を制御する制御部とを備えることを特徴とする。
【０００９】
また、本願の請求項２に記載の発明は、請求項１記載の記録再生再生装置において、前記管理情報は、コマーシャル情報の提供先を示す提供先情報、当該提供先によるコマーシャル情報の識別情報及びコマーシャル情報を提供する有効期限情報を有し、前記判別部は、有効期限情報に基づいて差し替えるコマーシャル情報があるか否かを判別し、前記制御部は、前記判別部が判別したコマーシャル情報の提供先情報及び識別情報が同一の差し替えコマーシャル情報又は提供先情報が同一の差し替えコマーシャル情報を前記CM記録部に記録する制御をすることを特徴とする。
【発明の効果】
【００１０】
本発明によれば、有効期限が切れたCM情報と差し替える新たなCM情報を配信するサーバやネットワークを用いることなく、テレビ放送局から送信されるテレビ放送番組情報を受信し、受信したテレビ放送番組情報から有効期限が切れたCM情報と差し替える差し替えCM情報を効率よく検出することができる記録再生装置を提供することができる。
【発明を実施するための最良の形態】
【００１１】
以下、本発明の実施の形態を図面に基づいて説明する。
図１は、本発明の一実施例である記録再生装置を備えたテレビ放送システムの構成を示すブロック図である。図１において、１は記録再生装置、２は送信装置、２１は番組本編サーバ、２２はCMサーバ、２３は送信指示部、２４は送信部を示す。図１において、送信装置２は、番組本編サーバ２１、CMサーバ２２、送信指示部２３及び送信部２４を備えている。この送信装置２は、テレビ放送番組を放送するテレビ放送局に設置されている。本実施例において、テレビ放送番組情報は、番組本編データとCMデータから構成されている。
【００１２】
図１に示す番組本編サーバ２１には、送信するテレビ放送番組情報の番組本編データが記録されている。CMサーバ２２には、送信するテレビ放送番組情報のCMデータが記録されている。CMデータは、CMデータ毎にCMを管理する管理情報が含まれている。この管理情報には、CMの提供先を示す提供先情報、提供先が宣伝する商品の識別情報及びCMを提供する有効期限（年月日）情報等がある。
【００１３】
送信指示部２３は、送信するテレビ放送番組情報を構成する番組本編データとCMデータの組み合わせ方法が記録されているデータベースを備えている。送信指示部２３は、当該データベースに記録されている組み合わせ方法に応じて、番組本編サーバ２１に番組本編データを読み出させる制御をし、CMサーバ２２にCMデータを読み出させる制御をする。番組本編サーバ２１から読み出された番組本編データとCMサーバ２２から読み出されたCMデータは、テレビ放送番組情報を構成する。送信部２４は、番組本編データとCMデータにより構成されたテレビ放送番組情報を送信する。送信部２４から送信されるテレビ放送番組情報は、例えば、MPEG（Moving Picture Experts Group）方式のデジタルデータとして送信される。
【００１４】
図２は、本発明の一実施例である記録再生装置の構成を示すブロック図である。図２において、１１は受信部、１２は記録部、１３は放送番組記録部、１４はCM記録部、１５は管理情報記録部、１６はデコーダ、１７は出力部、１８は判別部、１９は制御部、１９aは記憶部、２０は操作部、２０aは選択部を示す。
【００１５】
図２に示す受信部１１は、送信装置２から送信されたMPEG方式のデジタルデータのテレビ放送番組情報を受信する。受信部１１は、受信したテレビ放送番組情報を記録部１２の放送番組記録部１３に入力する。また、受信部１１は、テレビ放送番組情報から上述した管理情報を検出し、検出した管理情報を記録部１２の管理情報記録部１５に入力する。
【００１６】
記録部１２は、放送番組記録部１３、CM記録部１４及び管理情報記録部１５を備えている。記録部１２は、ランダムアクセスが可能なHDD（Hard Disk Drive）等である。放送番組記録部１３は、受信部１１から入力されるテレビ放送番組情報を記録する。また、放送番組記録部１３は、記録されたテレビ放送番組情報を読み出しデコーダ１６に入力する。CM記録部１４は、後述する制御部１９の制御により、受信部１１から入力されるテレビ放送番組情報から、放送番組記録部１３に記録されたCM情報と差し替える差し替えCM情報を記録する。管理情報記録部１５は、受信部１１から入力される管理情報を記録する。
【００１７】
デコーダ１６は、記録部１２から入力されるテレビ放送番組情報をデコードし出力部１７に入力する。出力部１７は、図示しないデジタル-アナログ変換部、ビデオ出力部、オーディオ出力部を備えている。出力部１７に入力されたテレビ放送番組情報は、デジタル-アナログ変換部によりアナログビデオ信号及びアナログオーディオ信号に変換される。アナログビデオ信号はビデオ出力部から出力され、アナログオーディオ信号はオーディオ出力部から出力される。記録再生装置１から出力されるアナログビデオ信号及びアナログオーディオ信号は、記録再生装置１に接続されたモニタに表示され及びスピーカにより出力される。
【００１８】
判別部１８は、管理情報記録部１５に記録された管理情報の有効期限を参照し、現在の日付（年月日）に基づいて、CM情報の提供の有効期限が切れたか否かを判別する。判別部１８は、判別した有効期限が切れた管理情報を管理情報記録部１５から制御部１９に入力する。制御部１９は、放送番組記録部１３、CM記録部１４及びデコーダ１６を制御する。操作部２０は、判別部１８が判別した有効期限が切れたCM情報の後に、当該CM情報の差し替えＣＭ情報を追加するか否かを選択する選択部２０a、図示しない再生ボタン、再生停止ボタン、録画予約ボタン等の操作ボタンを備えている。
【００１９】
次に、本実施例の記録再生装置の動作を説明する。図３は、本実施例の記録再生装置の差し替えCMを記録する動作を説明するフローチャートである。
【００２０】
送信装置２は、MPEG方式のデジタルデータのテレビ放送番組情報を送信部２４から送信する。送信装置２から送信されるテレビ放送番組情報は、番組本編データと管理情報が含まれたCMデータから構成されている。
【００２１】
図３に示すステップ１は、制御部１９が受信したテレビ放送番組情報を放送番組記録部１３に記録する制御をするステップである。記録再生装置１は、受信部１１により送信装置２から送信されたテレビ放送番組情報を受信する。記録再生装置１の制御部１９は、操作部２０の録画予約ボタンにより録画予約されたテレビ放送番組情報を放送番組記録部１３に記録する制御をする。また、制御部１９は、放送番組記録部１３に記録されたテレビ放送番組情報に関する放送番組特定情報（例えば、記録日（年月日、曜日）、記録開始時間及び記録終了時間、テレビ放送局）を記憶部１９aに記憶する。
【００２２】
ステップ２は、制御部１９が放送番組記録１３に記録したテレビ放送番組情報に含まれるCMに関する管理情報を管理情報記録部１５に記録する制御をするステップである。制御部１９は、放送番組記録部１３に記録されたテレビ放送番組情報に含まれるCMに関する管理情報を管理情報記録部１５に記録する制御をする。
【００２３】
ステップ３は、判別部１８が管理情報記録部１５に記録された管理情報から有効期限が切れたCM情報があるか否かを判別するステップである。判別部１８は、管理情報記録部１５に記録された管理情報の有効期限を参照し、現在の日付（年月日）に基づいて、有効期限が切れたか否かを判別する。判別部１８は、判別した有効期限が切れた管理情報を制御部１９に入力する。有効期限が切れCM情報があることを判別する場合はステップ３に進む。
【００２４】
ステップ４は、制御部１９が有効期限の切れたCM情報を含むテレビ放送番組情報が記録された曜日、記録時間帯及びテレビ放送局と同一の曜日、時間帯に同一のテレビ放送局から送信されるテレビ放送番組情報を受信部１１に受信させる制御をするステップである。制御部１９は、記憶部１９aに記憶された有効期限が切れたCM情報を含むテレビ放送番組情報の放送番組特定情報を参照し、このテレビ放送番組情報が記録された曜日、記録時間帯（記録開始時間から記録終了時間の間）及びテレビ放送局と同一の曜日、時間帯に同一のテレビ放送局から送信されるテレビ放送番組情報を受信部１１に受信させる制御をする。特定のテレビ放送番組（例えば、同じ曜日、放送局及び時間帯に放送される連続ドラマ。）には、同じ提供先の商品のCMが放送されるので、制御部１９は、有効期限が切れたCM情報が放送された同一の曜日、放送局及び時間帯にテレビ番組放送情報を受信する制御をする。したがって、本実施例の記録再生装置は、差し替えCM情報を効率よく検出することができる。
【００２５】
ステップ５は、制御部１９が有効期限の切れたCM情報と差し替える差し替えCM情報を検出したか否かを判別するステップである。制御部１９は、受信部１１が受信したテレビ放送番組情報から、判別部１８が判別した管理情報の提供先情報（CMの提供先を示す情報）及び識別情報（提供先が宣伝する商品を識別する情報）が同一である管理情報を有するＣＭ情報を検出する。または、制御部１９は、判別部１８が判別した管理情報の提供先情報及び識別情報が同一である管理情報を有するＣＭ情報を検出することができない場合、判別部１８が判別した管理情報の提供先情報が同一である管理情報を有するCM情報を検出する。制御部１９が受信したテレビ放送番組情報から有効期限の切れたCM情報と差し替える差し替えCM情報を検出した場合は、ステップ６に進む。制御部１９が受信したテレビ放送番組情報から有効期限の切れたCM情報と差し替える差し替えCM情報を検出しない場合は、ステップ４に進む。
【００２６】
ステップ６は、制御部１９が検出した差し替えCM情報をCM記録部１４に記録する制御をするステップである。CM記録部１４は、制御部１９の制御により、制御部１９が検出した差し替えCM情報を記録する。また、管理情報記録部１５は、制御部１９の制御により、CM記録部１４に記録された差し替えCM情報の管理情報を記録する。
【００２７】
ステップ７は、有効期限が切れたCM情報を当該CM情報の差し替えCM情報に差し替える制御を制御部１９がするステップである。制御部１９は、放送番組記録部１３に記録されたテレビ放送番組情報に含まれる有効期限が切れたCM情報を当該CM情報の差し替えCM情報に差し替えるように放送番組記録部１３及びCM記録部１４を制御する。したがって、本実施例の記録再生装置のユーザは、記録再生装置１により再生された差し替えCM情報に差し替えられたテレビ放送番組情報を視聴することができる。
【００２８】
このとき、制御部１９は、操作部２０からテレビ放送番組情報を再生する指示があるまでに、判別部１８が判別した管理情報の提供先情報及び識別情報と同一の管理情報を有する差し替えＣＭ情報がCM記録部１４に記録されている場合、この差し替えCM情報を有効期限が切れたCM情報と差し替えるように制御する。一方、制御部１９は、操作部２０からテレビ放送番組情報を再生する指示があるまでに、判別部１８が判別した管理情報の提供先情報及び識別情報と同一の管理情報を有する差し替えＣＭ情報がCM記録部１４に記録されてなく、判別部１８が判別した管理情報の提供先情報のみが同一の管理情報を有する差し替えＣＭ情報がCM記録部１４に記録されている場合、この差し替えCM情報を有効期限が切れたCM情報と差し替えるように制御する。
【００２９】
ステップ８は、制御部１９が操作部２０から放送番組記録部１３に記録されたテレビ放送番組情報の再生の指示をするステップである。制御部１９は、操作部２０からテレビ放送番組情報の再生指示があると、放送番組記録部１３に再生指示があるテレビ放送番組情報を読み出す制御をする。また、制御部１９は、デコーダ１６に放送番組記録部１３から読み出されたテレビ放送番組をデコードする制御する。デコーダ１６によりデコードされたテレビ放送番組は、アナログビデオ信号及びアナログオーディオ信号に変換されて出力部１７から出力される。
【００３０】
上述した図３に示すフローチャートのステップ７において、録画予約をするときに選択部２０aにより差し替えＣＭ情報を追加する選択がされたテレビ放送番組情報が放送番組記録部１３に記録されていると、制御部１９は、このテレビ放送番組情報に含まれる有効期限が切れたCM情報の後に、当該CM情報の差し替えCM情報を追加するように放送番組記録部１３及びCM記録部１４を制御する。
【００３１】
または、予め選択部２０aにより差し替えＣＭ情報を追加する選択がされていると、制御部１９は、放送番組記録部１３に記録されている全てのテレビ放送番組情報において、有効期限が切れたCM情報の後に当該CM情報の差し替えCM情報を追加するように放送番組記録部１３及びCM記録部１４を制御する。したがって、本実施例の記録再生装置のユーザは、記録再生装置１により再生された差し替えCM情報が追加されたテレビ放送番組情報を視聴することができる。一方、選択部２０aにより差し替えＣＭ情報を追加しない選択がされている場合、制御部１９は、上述した図３のフローチャートのステップ７のように、有効期限が切れたCM情報を当該CM情報の差し替えCM情報に差し替える制御をする。
【００３２】
上述の実施例において、放送番組記録部１３は、記録媒体が着脱可能なDVD-RAM等の記録媒体でもよい。この場合、制御部１９は、記憶部１９aに放送番組記録部１３にテレビ放送番組情報を記録した放送番組特定情報（例えば、記録日時（年月日、曜日、記録開始時間及び記録終了時間）、テレビ放送局）を記憶するとともに、記録媒体の識別情報も記憶する。制御部１９は、記録媒体が記録再生装置１に装着されると、CM記録部１４に記録された差し替えCM情報を記録媒体に記録する制御をする。
【００３３】
上述した本実施例の記録再生装置は、有効期限が切れたCM情報を含むテレビ放送番組情報が記録された曜日、記録時間帯及びテレビ放送局と同一の曜日、時間帯に同一のテレビ放送局から送信されるテレビ放送番組情報を受信し、受信したテレビ放送番組情報から差し替えCM情報を検出するので、差し替えCM情報を効率よく検出することができる。
【図面の簡単な説明】
【００３４】
【図１】本発明の実施例である記録再生装置を備えたテレビ放送システムの構成を示すブロック図。
【図２】本発明の実施例である記録再生装置の構成を示すブロック図。
【図３】本発明の実施例である記録再生装置の差し替えCMを記録する動作を説明するフローチャート。
【符号の説明】
【００３５】
１…記録再生装置、２…送信装置、１１…受信部、１２…記録部、１３…放送番組記録部、１４…CM記録部、１５…管理情報記録部、１６…デコーダ、１７…出力部、１８…判別部、１９…制御部、１９a…記憶部、２０…操作部、２０a…選択部、２１…番組本編サーバ、２２…CMサーバ、２３…送信指示部、２４…送信部
【図１】
2005293682.tif 000003
【図２】
2005293682.tif 000004
【図３】
2005293682.tif 000005